(57)【特許請求の範囲】
【請求項１】
弾力素材の平面ポスター底辺両端部を固定しＵ字状に曲げる為の曲面発生板２枚の他端と、一端を動力で引かれる引き板部の他端を、扇形要部に軸で扇状に綴じてなる底辺板と、動力部と、前記底辺板とを設けた台とを有し、前記底辺板の前記引き板部を前記動力部で引く事で、前記底辺板がＴ字状からＹ字状に変化して前記ポスターがＵ字状に曲がって立ち上るように構成されたことを特徴とする、動く広告装置。
【発明の詳細な説明】
【０００１】
【発明の属する技術分野】
本発明は、商業や工業や飲食業をはじめ公共事業等の有りとあらゆる宣伝広告や伝達事項等の必要時に用いる事が出来る。既製の繁盛広告用品や創作教材等にも使用出来る。主に繁盛促進用品、並びに宣伝広告業等が商業、飲食業、その他の企業の広告、宣伝分野の活性化するのに利用できる。また軽い素材と組み合わせれば、玩具にも応用出来る。表現が豊かで人目を集めたい速急伝達事項等ポスター等の広告掲載方法並びに掲示方法又は掲示装置及びその製造方法に関する。
【０００２】
【従来の技術】
一部看板等の立体物で立体看板や蟹が足を動かすものはあったが。しかし、動くポスターは無かった。
【０００３】
【発明が解決しようとする課題】
本発明は、商業界の繁盛促進をする。平面ポスターでも、能動的表現価値を実現させること。ポスターは元来受動的で消極的ものであるが、それを、より積極的にお客様に話掛けたり、呼びかけて振り向かせて訴えるなど、能動的積極さを持たせるポスターにしたい。
【０００４】
広告の面白みを出すためなら、光源や動力も音声も利用する方法があろう。展開は無限である。ポスターでもユニークさで、人目を引く独自のフィーリーングを持たせる。
【０００５】
【課題を解決するための手段】
上記を解決するために、本発明の動くポスターは、自然素材が持つ張力や弾力をうまく引き出し、外部から動力をうまく使い、自然素材との反発力を組み合わせれば、一見不思議な動きに見せる事が出来る。弾力性のある素材を使ったポスターが、なんでそんな動きをするんだろうと思わせる、マジック性を持たせて表現出来る。新規性や進歩性は感性が発見者である。
【０００６】
張力や弾力のある素材を使いポスターを作る。この弾力性が本発明の重要な性質である。  ポスター底辺部を固定しＵ字状に曲げること、ポスターの両端を、ポスターの両端を挟み固定し曲面を作る、曲面発生板２枚を引っぱる板を同一軸穴で綴じモーター等の動力を借り引き板で引くとＹ字状になりる。ポスターは挟まれＵ字状に曲がり曲面張力が発生し曲面張力は発散方向を選び張力三角地帯を発生させ［図５］（Ａ）（Ｂ）（Ｃ）現象でポスターは立ち上がる。動力を断が変形歯車の歯無し部で断たれ（Ａ）に戻る。弾力性ポスターは倒れる。押上曲面張力効果である。
【０００７】
ポスター底辺部の左右を外圧でＵ字状に徐々に曲げて行くところを三角地帯と名付けた、縦長のポスター面を張力で押し上げてしまう装置が作れる。
【０００８】
【発明の実施形態】
上記のように構成された、動くポスターは、全く新しい広告法を提供出来るものである。静の世界ポスター界に、新しい積極的新しい広告視点が開発されたものであり、広告効果を上げる掲示法であり明快な繁盛支援ポスター装置となると確信する。
【０００９】
【実施例】
実施例について図面を参照して説明すると、［図１］と［図２］は、本発明の動くポスター側面図と正面図で表したものでポスターが立ち上がり、モーターの力で引き付けた状態で、ストッパーがセットされストップモーション時間が保てる図ある。［図１］の１、は弾力素材ポスター部で［図２］２、モーターの駆動力部で４、５、１２、１３、を使って引き寄せ曲面発生板と引き板がＹ字状になりることで、Ａ〜Ａ′断面図によるポスター底辺が外圧でＵ字状に曲がることによりポスター曲面張力を注ぎ込んだ状態でポスターを立ち上がらせを表わした。
【００１０】
［図３］は動力解除によりポスターの重さと弾力で５、１２、１３、が引き戻されて、しなやかに２１、脱力状態のポスターが倒れている。また、４、半月歯車部が５、平面歯付板部から外れ、１１、ストッパー装置をが押上がり６、ストッパー爪部を押し上げストッパー解除された図である。［図４］ストッパー解除されて引き戻され、曲面発生板と引き板がＴ字状に戻される。Ａ〜Ａ′ポスター底辺の断面が直線状になる。２、モーターの駆動は続く間ポスターの動きがくり返す。
【００１２】
さて、立ったり、倒れたりの繰り返しではあるが、ポスターである限り、その内容を良く読ませる為の時間的な工夫が必要である。そこで、［図１］の１１、ストッパーアームを設けた６、ストッパー爪部を押上げて潜り抜けた地点にあり自然の重さで下りるので、半月歯車の動力が切れポスターの弾力で１３、引き板部の引き戻しが始まると９、平面歯車止爪部が６、ストッパー爪部に阻まれて、ストップする。半月歯車部上にでアームが押されテコの原理でストッパー装置の先端の６、ストッパー爪部が押し上げられて９、平面歯車止爪部が外され、ポスターの引き板部ごと引き戻しされる。この間に、ポスターをじっくりと読ませることが出来る。
【００１３】
［図５］（Ａ）、（Ｂ）、（Ｃ）図で示す通りを発生させるのである。同じ働きを作り出す方法や曲面発生板の形を２つの円盤状を使用することもある。
【００１４】
［図７］（Ｄ）、（Ｅ）、（Ｆ）の歯車類は、色々なを面白い動き造り出すため歯車のほんの一例である。
【００１５】
【発明の効果】
積極的行動派のポスターが本発明のポスターである。、ポスターが動くと言う事人は注目する。人も、ポスター、その動きはすぐには見飽きない。マッチングさせれば、広告は強力でインパクトのある広告が出来る。これに音楽や弾んだ声を付ければ、効果倍増でしょう。ポスターは工夫一つで優れた広告効果を造り出せると確信する。
【００１８】
【図面の簡単な説明】
【図１】弾力性のあるポスターが動力の力で立っている様子の則面図である。
【図２】［図１］Ｕ字状のポスター底辺を現わした張力発生板がＹ字板状の平面図である。
【図３】弾力性のあるポスターが、動力源を切られ倒れているている様子の則面図である。
【図４】［図３］直線状のポスター底辺を現わした張力発生板がＴ字板状の平面図である。
【図５】（Ａ）ポスター脱力状態を表わした。斜視図。
（Ｂ）動力で発生し三角地帯が現れた。斜視図
（Ｃ）曲面張力でピーンと立ったポスターの変化。斜視図
【符号の説明】
１、弾力素材のポスター
２  モーター部
３、ポスター固定部
４、半月歯車部
５、平面歯付板部
６、ストッパー爪部
７、角度付き台部
８、台と装置の取付部、兼曲面発生２局支点部
９、平面歯車止爪部
１０、扇形要部
１１、ストッパーアーム
１２、曲面発生板部
１３、引き板部（曲面発生板部の）
１４、遊び穴部（円滑動作用穴）
１５、扇形要の溝穴部（引き板レール）
１６、ストッパー装置用溝穴部
１７、電源
１８、Ｕ字状のポスター断面［図１］Ａ〜Ａ′による断面図
１９、直線状のポスター断面［図３］Ａ〜Ａ′による断面図
２０、ポスター断面［図２］Ｂ〜Ｂによる′断面図
２１、脱力状態のポスター断面［図４］Ｃ〜Ｃ′による断面図
２２、外圧方向
２３、曲面張力の位置
２４、曲面張力の三角地帯
２５、押上張力の解放方向の矢印
（Ａ）脱力状態のポスターを表わした斜視図。
（Ｂ）動力で徐々に立ち上がる。張力三角地帯発生の斜視図。
（Ｃ）ピーンと立ったポスターの張力三角地帯で押し上げた斜視図。
（Ｄ）ギヤの変形例、平面図
（Ｅ）ギヤの変形例、平面図
（Ｆ）ギヤの変形例、平面図
Ａ〜Ａ′切断線の位置
Ｂ〜Ｂ′切断線の位置
Ｃ〜Ｃ′切断線の位置
【図１】
0004105364.tif 000002
【図２】
0004105364.tif 000003
【図３】
0004105364.tif 000004
【図４】
0004105364.tif 000005
【図５】
0004105364.tif 000006